(57)【要約】【課題】  壁面に簡単に取り付けでき、一旦取り付けた後も取り外しを容易にでき、使い勝手が良くなるよう形成した壁取付型キャビネットを提供する。【解決手段】  前側と後側を開口させた枠状の棚部材１と、この棚部材１を壁面２に引っ掛けて取り付けるための取付部材３とで形成する。この取付部材３に、上記の壁面２と隙間状の雌部４を作る段差３ａを形成する。上記棚部材１の上板１ａの後端部に、上記の雌部４に上方から嵌め込むための雄部１ｂを、下方に突き出させて設ける。【選択図】      図１
2005118432.tif 000002
【特許請求の範囲】
【請求項１】
前側と後側が開口されている枠状の棚部材と、この棚部材を壁面に引っ掛けて取り付けるための取付部材とで形成され、この取付部材に、上記の壁面と隙間状の雌部を作る段差が形成され、上記棚部材の上板の後端部に、上記の雌部に上方から嵌め込むための雄部が下方に突き出されて設けられていることを特徴とする壁取付型キャビネット。
【請求項２】
請求項１記載の壁取付型キャビネットであって、取付部材の横幅が棚部材の内側に納まる長さに形成され、棚部材の下板の後端部に、棚部材の後側を壁面にあてがって引き降ろす際に取付部材を通すための切欠きが形成されていることを特徴とする壁取付型キャビネット。
【請求項３】
請求項２記載の壁取付型キャビネットであって、棚部材の下板の上面が奥側に向かって下り勾配に形成されていることを特徴とする壁取付型キャビネット。
【請求項４】
請求項１記載の壁取付型キャビネットであって、取付部材の下方の壁面の位置に設けられる鏡受け部材と、この鏡受け部材と上記の取付部材とで挟持される鏡とを備えて形成されていることを特徴とする壁取付型キャビネット。
【請求項５】
請求項４記載の壁取付型キャビネットであって、取付部材と鏡受け部材と鏡の横幅が、棚部材の内側に納まる長さに形成され、棚部材の下板の後端部に、棚部材の後側を壁面にあてがって引き降ろす際に取付部材と鏡受け部材と鏡を通すための切欠きが形成されていることを特徴とする壁取付型キャビネット。
【請求項６】
請求項５記載の壁取付型キャビネットであって、棚部材の下板の上面が奥側に向かって下り勾配に形成されていることを特徴とする壁取付型キャビネット。
【発明の詳細な説明】
【技術分野】
【０００１】
本発明は壁取付型キャビネットに関し、更に詳しくは例えば浴室や脱衣室等の壁面に取り付けて、石鹸や髭剃り道具等の小物を載置するのに使用する壁取付型キャビネットに関するものである。
【背景技術】
【０００２】
従来この種のキャビネットとしては、前側を開口させた箱型のキャビネット枠と、鏡とを備え、鏡をキャビネット枠の背板の前面に取り付け、キャビネット枠の下板に石鹸等を載置できるよう形成しているものがある（特許文献１参照）。
【０００３】
しかしながらこの従来品の場合は、キャビネット枠を壁面にＬ字型金具やネジ等で固定する仕組みであった。従って従来品を使用すると、キャビネット枠の取付作業に手間暇がかかり、また一旦取り付けると、簡単にはその取り外しができなかったから、例えば鏡やキャビネット枠の内面等を掃除するとき掃除がしにくく、またキャビネット枠に例えばヒビ割れ等が生じてその交換が必要になったときキャビネット枠だけの交換が困難であり、その結果使い勝手が悪い、という問題点があった。
また従来品は、上記の通り、鏡をキャビネット枠の背板の前面に取り付けているため、鏡が不要な箇所にも必然的に鏡付きの状態で取り付けざるを得ず、この点でも使い勝手が悪い、という問題点があった。
【特許文献１】特開２００１−１８６９４３号公報
【発明の開示】
【発明が解決しようとする課題】
【０００４】
本発明は、このような従来技術の問題点に鑑み、提案されたものである。
従って本発明の解決しようとする技術的課題は、壁面に簡単に取り付けでき、一旦取り付けた後も取り外しを容易にでき、使い勝手が良くなるよう形成した壁取付型キャビネットを提供することにある。
【課題を解決するための手段】
【０００５】
本発明は、上記の課題を解決するため、次のような技術的手段を採る。
即ち本発明は、図１等に示されるように、前側と後側が開口されている枠状の棚部材１と、この棚部材１を壁面２に引っ掛けて取り付けるための取付部材３とで形成され、この取付部材３に、上記の壁面２と隙間状の雌部４を作る段差３ａが形成され、上記棚部材１の上板１ａの後端部に、上記の雌部４に上方から嵌め込むための雄部１ｂが下方に突き出されて設けられていることを特徴とする（請求項１）。
【０００６】
本発明の場合、棚部材１は、通常、正方形、長方形等の方形に形成されるが、その他例えば逆三角形状や平行四辺形等に形成されるのでも良い。この場合は、デザインが斬新になり、面白みのある本キャビネットを提供できる。また棚部材１は、その上板１ａ、或いは下板１ｃに髭剃り道具等の小物６（図３等参照）を載置できるのであれば、その奥行き寸法は任意である。雄部１ｂは、通常、板片状に形成されるが、雌部４に嵌合可能に形成されているのであれば、その形状や横幅、或いは縦の長さは任意である。取付部材３は、本発明の場合、例えば金属材や合成樹脂材等で形成される。なお本発明品は、使い勝手が良くなるよう、棚部材１が棚板を備えて形成されているのでも良い。
【０００７】
また請求項１記載の本発明の場合は、取付部材３の横幅が棚部材１の内側に納まる長さに形成され、棚部材１の下板１ｃの後端部に、棚部材１の後側を壁面２にあてがって引き降ろす際に取付部材３を通すための切欠き１ｄが形成されているのが好ましい（請求項２）。
なぜならこれによると、棚部材１を取り付けるとき、棚部材１を引き降ろす、という簡単な操作で済むからである。
【０００８】
また請求項２記載の本発明の場合は、図３に示されるように、棚部材１の下板１ｃの上面が奥側に向かって下り勾配に形成されているのが好ましい（請求項３）。
なぜならこれによると、石鹸や髭剃り道具等の小物６が手前側に落下しにくく、また下板１ｃの上面の水を切欠き１ｄを介して排水できるからである。この本発明は、図４に示されるように、棚部材１の下板１ｃ自体を傾斜させて形成するのでも良い。
【０００９】
また請求項１記載の本発明は、図５等に示されるように、取付部材３の下方の壁面２の位置に設けられる鏡受け部材７と、この鏡受け部材７と上記の取付部材３とで挟持される鏡８とを備えて形成されているのが好ましい（請求項４）。
なぜならこれによると、小物６の載置、収納と共に、鏡８の利用が可能になり、また鏡８とキャビネットの取付位置が一箇所で済み、壁面２を効率良く使用できるからである。
【００１０】
またこの本発明の場合は、取付部材３と鏡受け部材７と鏡８の横幅が、棚部材１の内側に納まる長さに形成され、棚部材１の下板１ｃの後端部に、棚部材１の後側を壁面２にあてがって引き降ろす際に取付部材３と鏡受け部材７と鏡８を通すための切欠き１ｄが形成されているのが好ましい（請求項５）。
なぜならこれによると、棚部材１を壁面２にあてがって引き降ろす、という簡単な操作で棚部材１の取り付けが可能になるからである。
【００１１】
更に請求項５記載の本発明の場合は、棚部材１の下板１ｃの上面が奥側に向かって下り勾配に形成されているのが好ましい（請求項６）。
これによると、石鹸等の小物６が手前側に落下しにくく、また下板１ｃの上面の水を切欠き１ｄを介して排水できるからである。
【発明の効果】
【００１２】
本発明の壁取付型キャビネットは、上記の通り、枠状の棚部材と、この棚部材を壁面に引っ掛けて取り付けるための取付部材とで形成し、この取付部材に、壁面と隙間状の雌部を作る段差を形成し、棚部材の上板の後端部に、上記の雌部に上方から嵌め込むための雄部を下方に突き出させて設けているものである。
従って本発明によれば、棚部材の雄部を、取付部材が壁面と作る雌部に嵌合させるだけで、壁面に棚部材を簡単に取り付けることができる。また本発明の場合は、一旦取り付けた後でも棚部材と取付部材との嵌合状態を解くことで、棚部材を壁面から簡単に取り外すことができる。それ故これによれば、棚部材等の掃除が容易になり、使い勝手が良くなる、という利点がある。
【発明を実施するための最良の形態】
【００１３】
以下、本発明を実施するための最良の形態を説明する。
図１等において、１は前側と後側が開口されている枠状の棚部材である。この棚部材１は、この実施形態では合成樹脂材で正面視ほぼ正方形に形成されている。棚部材１の上板１ａの後端部には、後述する雌部４に上方から嵌め込むための雄部１ｂが下方に突き出されて設けられている。この雄部１ｂは、この実施形態では上板１ａの後端部が横方向の全長にわたって上板１ａから屈曲された状態で板片状に形成されている。また棚部材１の下板１ｃの後端部には、棚部材１の後側を壁面２にあてがって引き降ろす際に、取付部材３を通すための切欠き１ｄが形成されている。また棚部材１の下板１ｃの上面は、奥側に向かって下り勾配に形成されている。
【００１４】
棚部材１を壁面２に引っ掛けて取り付けるための取付部材３は、この実施形態では金属板がほぼクランク形に折り曲げられ、上記の壁面２と隙間状の雌部４を作る段差３ａを有して形成されている。取付部材３の上部３ｂは、上板１ａの下面を受けることができるよう、前方に水平に延ばされている。また取付部材３の横幅は、棚部材１の内側に納まる長さに形成され、下片３ｃがネジ５で壁面２に止め付けられることにより、取付部材３は壁面２に水平状に取り付けられる。
【００１５】
次に本発明品の取付例等について説明する。
先ず作業者は、取付部材３の下片３ｃを壁面２にあてがい、水平に位置決めし、ネジ５で下片３ｃを介して取付部材３を壁面２に取り付ける。次に図１Ａ、図２に示されるように、棚部材１の後側を壁面２にあてがって引き降ろし、雄部１ｂを雌部４に嵌め込む。これにより、棚部材１は、取付部材３に引っ掛けられた状態で壁面２に取り付けられる。なおこの実施形態の場合は、棚部材１を引き降ろす際に切欠き１ｄが取付部材３に通されるが、本発明はこれに限られず、棚部材１の開口内に取付部材３が納まるように棚部材１を壁面２に押し当て、この状態で棚部材１を引き降ろして取付部材３に棚部材１を引っ掛けるのでも良いことは勿論である。本発明品は、図３に示されるように、石鹸等の小物６を下板１ｃや上板１ａに載せて使用する。この場合、下板１ｃの上面は奥側に向かって下り勾配に形成されているから、下板１ｃの上面の水は奥側に流れ、下板１ｃの後端部の切欠き１ｄを介して下方に落下する。棚部材１を取り外すときは、棚部材１を壁面２に沿って持ち上げ、雌部４から雄部１ｂを抜き取って行なう。
【００１６】
以上の処において、本発明は、図５、図６等に示されるように、取付部材３の下方の壁面２の位置に設けられる鏡受け部材７と、この鏡受け部材７と上記の取付部材３とで挟持される鏡８とを備えて形成されているのでも良い。鏡受け部材７は、金属板が折り曲げられ、鏡８の下端を係合させる凹溝状の横枠部７ａを備え、壁面２にあてがわれる上片７ｂがネジ５で止め付けられるよう形成されている。取付部材３は、上部３ｂが屈曲されて鏡８の上端と係合する下向きの係合溝３ｂ１を有して形成され、壁面２にあてがわれる下片３ｃに、ネジ孔５ａが縦長に形成されている。このネジ孔５ａにより取付部材３を壁面２にネジ５である程度強く締め付けた後も取付部材３を下方にずらすことが可能になり、取付部材３と鏡受け部材７とで鏡８を挟持させることができるものである。
【００１７】
また、この本発明の場合は、取付部材３と鏡受け部材７と鏡８の横幅が、棚部材１の内側に納まる長さに形成され、棚部材１の下板１ｃの後端部に、棚部材１の後側を壁面２にあてがって引き降ろす際に取付部材３と鏡受け部材７と鏡８を通すための切欠き１ｄが形成されている。棚部材１の下板１ｃの上面は、この実施形態の場合、上例と同様、奥側に向かって下り勾配に形成されている。またこの実施形態の場合は、下板１ｃに切欠き１ｄが形成されているため、この切欠き１ｄを利用して横枠部７ａを隠蔽し体裁を良くすると共に、鏡面を広げることができるよう、横枠部７ａが切欠き１ｄの位置において下板１ｃの肉厚内に納められた状態に配置されている。
【００１８】
作業者は、この本発明の場合、先ず取付部材３と鏡受け部材７を壁面２に取り付ける。次に作業者は、鏡８の下端を鏡受け部材７の凹溝状の横枠部７ａに係合させ、取付部材３をネジ孔５ａを利用して下方にずらして鏡８の上端に係合溝３ｂ１を係合させ、鏡８を鏡受け部材７と取付部材３とで挟持させる。棚部材１を取り付ける場合は、図６、図８等に示されるように、上例と同様、棚部材１の後側を壁面２に当接させた状態で引き降ろし、雄部１ｂを雌部４に嵌め込むことで行なう。この場合、取付部材３等は下板１ｃの後端部の切欠き１ｄを通される。下板１ｃの上面の水は、切欠き１ｄを介して排水される。
【００１９】
なお本発明品は、図１０に示されるように、例えば浴室９の洗い場１０側の壁面２に、鏡８を備えた本発明品１１を取り付け、鏡８を伴わない本発明品１２を浴槽１３の側の壁面２に取り付ける等、鏡８の必要性に鑑み、適宜組み合わせて取り付けられるので良い。また本発明品は、浴室９の壁面２には限定されず、その他例えば洗面室や脱衣室等の壁面２に取り付けて使用するのでも良い。
【図面の簡単な説明】
【００２０】
【図１】本発明の壁取付型キャビネットの好適な一実施形態を示し、Ａは取付時の斜視図、Ｂは取付操作を説明するための要部断面図である。
【図２】同上キャビネットの取付操作を説明するための要部斜視図である。
【図３】同上キャビネットの縦断面図である。
【図４】棚部材の下板の他の実施形態を示す要部断面図である。
【図５】同上キャビネットの他の実施形態を示し、Ａは正面図、ＢはＡのＢ−Ｂ線断面図である。
【図６】図５の本発明キャビネットの取付操作を説明するための要部断面図である。
【図７】図５の本発明キャビネットの取付時の底面図である。
【図８】図５の本発明キャビネットの取付操作を説明するための斜視図である。
【図９】図５の本発明キャビネットの取付時の斜視図である。
【図１０】同上キャビネットを浴室の壁面に取り付けた状態の一例を示す要部正面図である。
【符号の説明】
【００２１】
１    棚部材
１ａ  上板
１ｂ  雄部
２    壁面
３    取付部材
３ａ  段差
４    雌部
【図１】
2005118432.tif 000003
【図２】
2005118432.tif 000004
【図３】
2005118432.tif 000005
【図４】
2005118432.tif 000006
【図５】
2005118432.tif 000007
【図６】
2005118432.tif 000008
【図７】
2005118432.tif 000009
【図８】
2005118432.tif 000010
【図９】
2005118432.tif 000011
【図１０】
2005118432.tif 000012